(57)【要約】【課題】編集画像の煩雑な保存や処理をしなくしても特殊色を印刷できる写真自動販売装置を提供する。【解決手段】写真画像Ｐ１はカメラ１０で生成され、編集画像Ｐ２は撮影処理と画像編集処理で生成される。編集画像Ｐ２には背景画像Ｐ２０と落書き画像Ｐ２１，Ｐ２２とが含まれる。写真画像Ｐ１及び編集画像Ｐ２は合成され、普通色合成画像Ｐ３が生成される。ホログラム印刷データＨＬは編集画像Ｐ２に基づいて生成される。ホログラム印刷データＨＬは編集画像のある領域で「１」となり、編集画像のない領域で「０」となる。ここで生成された普通色合成画像Ｐ３に基づいて普通色印刷が行われ、ホログラム印刷データＨＬに基づいてホログラム印刷が行われる。【選択図】図９
2008244955.tif 000002
【特許請求の範囲】
【請求項１】
被写体を撮影して写真画像を生成する撮影手段と、
前記撮影手段により生成された写真画像に合成すべき編集画像を生成する編集手段と、
前記撮影手段により生成された写真画像と前記編集手段により生成された編集画像とを合成して合成画像を生成する合成手段と、
前記撮影手段により生成された写真画像のうち被写体の全部又は一部を除く領域を特定する特殊色印刷データを生成するデータ生成手段と、
前記合成手段により生成された合成画像に基づいて普通色を印刷媒体上に印刷する普通色印刷手段と、
前記普通色印刷手段により印刷された普通色合成画像上に前記データ生成手段により生成された特殊色印刷データに基づいて特殊色を印刷する特殊色印刷手段とを備えることを特徴とする写真自動販売装置。
【請求項２】
請求項１に記載の写真自動販売装置であって、
前記データ生成手段は、前記特殊色印刷データが特定する領域として前記編集手段により生成された編集画像の領域を設定する、ことを特徴とする写真自動販売装置。
【請求項３】
請求項１又は２に記載の写真自動販売装置であって、
前記編集手段は、
前記撮影手段により生成された写真画像のうち被写体以外の領域に所定の背景画像を前記編集画像として入力する手段と、
利用者の操作に応じて所望の画像を前記編集画像として入力する手段とを含む、ことを特徴とする写真自動販売装置。
【請求項４】
請求項１〜３のいずれか１項に記載の写真自動販売装置であってさらに、
前記特殊色印刷手段により特殊色を印刷するか否かを利用者の操作に応じて選択する選択手段を備え、
前記特殊色印刷手段は、前記選択手段により特殊色を印刷することが選択された場合に特殊色を印刷し、前記選択手段により特殊色を印刷しないことが選択された場合に特殊色を印刷しない、ことを特徴とする写真自動販売装置。
【請求項５】
請求項１〜４のいずれか１項に記載の写真自動販売装置であって、
前記特殊色はホログラムであることを特徴とする写真自動販売装置。
【請求項６】
被写体を撮影して写真画像を生成する撮影工程と、
前記撮影工程により生成された写真画像に合成すべき編集画像を生成する編集工程と、
前記撮影工程により生成された写真画像と前記編集工程により生成された編集画像とを合成して合成画像を生成する合成工程と、
前記撮影工程により生成された写真画像のうち被写体の全部又は一部を除く領域を特定する特殊色印刷データを生成するデータ生成工程と、
前記合成工程により生成された合成画像に基づいて普通色をシール紙上に印刷する普通色印刷工程と、
前記普通色印刷工程により印刷された普通色合成画像上に前記データ生成工程により生成された特殊色印刷データに基づいて特殊色を印刷する特殊色印刷工程とを含むことを特徴とする写真シールの製造方法。
【請求項７】
被写体を撮影して写真画像を生成する撮影工程と、
前記撮影工程により生成された写真画像に合成すべき編集画像を生成する編集工程と、
前記撮影工程により生成された写真画像と前記編集工程により生成された編集画像とを合成して合成画像を生成する合成工程と、
前記撮影工程により生成された写真画像のうち被写体の全部又は一部を除く領域を特定する特殊色印刷データを生成するデータ生成工程と、
前記合成工程により生成された合成画像に基づいて普通色をシール紙上に印刷する普通色印刷工程と、
前記普通色印刷工程により印刷された普通色合成画像上に前記データ生成工程により生成された特殊色印刷データに基づいて特殊色を印刷する特殊色印刷工程とを含む製造方法を用いて製造されたことを特徴とする写真シール。
【請求項８】
被写体を撮影して写真画像を生成するようにカメラを制御する撮影ステップと、
前記撮影ステップにより生成された写真画像に合成すべき編集画像を生成する編集ステップと、
前記撮影ステップにより生成された写真画像と前記編集ステップにより生成された編集画像とを合成して合成画像を生成する合成ステップと、
前記撮影ステップにより生成された写真画像のうち被写体の全部又は一部を除く領域を特定する特殊色印刷データを生成するデータ生成ステップと、
前記合成ステップにより生成された合成画像に基づいて普通色をシール紙上に印刷するようにプリンタを制御する普通色印刷ステップと、
前記普通色印刷ステップにより印刷された普通色合成画像上に前記データ生成ステップにより生成された特殊色印刷データに基づいて特殊色を印刷するようにプリンタを制御する特殊色印刷ステップとをコンピュータに実行させるための写真自動販売装置用プログラム。
【発明の詳細な説明】
【技術分野】
【０００１】
本発明は、写真自動販売装置、写真シールの製造方法、写真シール、及び写真自動販売装置用プログラムに関し、さらに詳しくは、利用者を撮影して得た写真画像をシール紙に印刷して写真シールを製造する写真自動販売装置、写真シールの製造方法、写真シール、及び写真自動販売装置用プログラムに関する。
【背景技術】
【０００２】
ゲームセンタなどの遊戯施設には、利用者を被写体としてカメラで撮影し、その写真画像をシール紙に印刷して販売する写真自動販売装置が設置されている。これらの写真自動販売装置は、利用者を撮影して写真画像を取得する撮影装置と、写真画像をタブレットディスプレイなどに表示し、その写真画像に付属のタッチペンで文字や図形などを落書きして編集画像を入力する画像編集装置とを備えたものが一般的になっている。画像編集装置で入力された編集画像は写真画像と合成され、その合成画像がプリンタでシール紙に印刷され、利用者に提供される。
【０００３】
画像の編集においては、ペン、スタンプ、フレーム、背景画像などの落書き素材を入力する機能が備わり、この機能を利用して利用者は撮影した画像に編集を施す。このような編集により、利用者の個性を発揮でき、表現力のある写真シールを作成することができる。
【０００４】
写真自動販売装置においては、利用者がより表現力のある写真シールを作成できるよう様々な工夫が施されている。その工夫のうちの１つに、普通色印刷と特殊色印刷の２つの印刷工程を設け、普通色印刷と重ねて、金、銀、ラメなど、金属性光沢のある特殊色印刷を行うことにより、普通色の落書き素材と異なり、キラキラと輝く落書き素材を提供する機能がある。
【０００５】
具体的には、以下の技術が知られている。
【０００６】
まず、特開２００３−１１０９７１号公報（特許文献１）に記載の画像印刷装置においては、画像データ内の標準色（シアン、マゼンタ、イエロー、ブラック）で指定されている画像データを第１の印字ヘッドで印刷させ、画像データに特殊色で指定されている部分があるか否かを判断し、画像データに特殊色で指定されている部分があると判断した場合、画像データの特殊色を第２の印字ヘッドで上書き印刷させ、画像データに特殊色で指定されている部分がないと判断した場合、第２の印字ヘッドによる印刷を行わないようになっている（段落０１２２〜０１２４参照）。また、特殊色印刷を行うか否かをユーザに選択させるようにもなっている（段落０１１４参照）。つまり、この技術は、画像データが標準色と特殊色で構成されていることが前提となっている。
【０００７】
また、特開２００３−２６０８２０号公報（特許文献２）に記載の画像印刷装置は、カラー印刷部に加え、特殊色印刷部を有し、カラー印刷部又は特殊色印刷部を用いて、編集手段により編集が施された編集済み画像を所定の印刷媒体に印刷する印刷手段を備え、この印刷手段は、編集画像を構成する色に対応する印刷部を用いて、編集画像を印刷媒体に印刷するようになっている（段落０００６参照）。つまり、この技術も特許文献１と同様に、編集画像がカラー色と特殊色で構成されていることが前提となっている。
【０００８】
また、特開２００３−１０３８８８号公報（特許文献３）に記載の画像印刷装置においては、特殊色のインクの無駄を抑制し、ランニングコストを抑えるために（段落００１４参照）、シール台紙内の特殊色を印刷する範囲を限定する範囲限定手段を備え、第１の印刷手段による印刷後、第２の印刷手段は、シール台紙の、範囲限定手段により限定された特殊色を印刷する範囲を特殊色のリボンシートを用いて上書き印刷するようになっている（段落００３４参照）。特殊色を印刷する範囲は、シール台紙の印刷可能範囲よりも小さく限定されたり、シール台紙の上部半分に限定されたりする（段落００３７参照）。つまり、この技術は、複数の写真画像を印刷するためのシール台紙の全面に対して特殊色を印刷する範囲を限定するものである。
【０００９】
また、特開２００４−１５３３７９公報（特許文献４）に記載の写真プリント提供装置においては、撮影画像の編集入力箇所に一次編集を行い、一次編集された撮影画像を第１印刷ヘッドで印刷し、上記一次編集された撮影画像が印刷された印刷媒体の一次編集画像の上に、印刷結果が半透明を呈するインクにより二次編集画像を第２印刷ヘッドで印刷することにより、様々な色柄表現が可能となっている（段落００１３参照）。つまり、この技術は、編集画像を普通色と半透明色の重なりで表現しようとするものである。
【００１０】
しかし、上記特許文献１〜４に記載の技術はいずれも、上述のとおり、編集画像が普通色と特殊色で構成されていることが前提となっており、「落書き」という範疇での表現力を高めるために特殊印刷を行っているに過ぎない。したがって、編集画像のうち普通色部分を普通色インクで印刷し、特殊色部分を特殊色インクで印刷するためには、まずは編集画像を普通色部分と特殊色部分に分離するという処理が必要である。さらに、このような分離処理を可能とするためには、編集画像全部を１枚の画像レイヤで保存するのではなく、編集画像の普通色部分と特殊色部分を別々に２枚の画像レイヤで保存する必要がある。
【００１１】
このような編集画像を特殊表現する方法では、写真画像の一部が特殊表現されるだけに止まり、特殊印刷の表現力を十分に発揮できているものではなく、写真画像全体の表現力を高めているものではなかった。そのため、従来の写真シールのイメージを覆すほど表現力に優れた斬新な写真シールを提供することはできなかった。
【特許文献１】特開２００３−１１０９７１号公報
【特許文献２】特開２００３−２６０８２０号公報
【特許文献３】特開２００３−１０３８８８号公報
【特許文献４】特開２００４−１５３３７９公報
【特許文献５】特願２００５−２８１４１７号（未公開先願）
【発明の開示】
【発明が解決しようとする課題】
【００１２】
本発明の目的は、編集画像の煩雑な保存や処理をしなくしても特殊色を印刷できる写真自動販売装置、写真シールの製造方法、写真シール、及び写真自動販売装置用プログラムを提供することである。
【課題を解決するための手段及び発明の効果】
【００１３】
本発明による写真自動販売装置は、撮影手段と、編集手段と、合成手段と、データ生成手段と、普通色印刷手段と、特殊色印刷手段とを備える。撮影手段は、被写体を撮影して写真画像を生成する。編集手段は、撮影手段により生成された写真画像に合成すべき編集画像を生成する。合成手段は、撮影手段により生成された写真画像に編集手段により生成された編集画像を合成して合成画像を生成する。データ生成手段は、撮影手段により生成された写真画像のうち被写体の全部又は一部を除く領域を特定する特殊色印刷データを生成する。普通色印刷手段は、合成手段により生成された合成画像に基づいて普通色を印刷媒体上に印刷する。特殊色印刷手段は、普通色印刷手段により印刷された普通色合成画像上にデータ生成手段により生成された特殊色印刷データに基づいて特殊色を印刷する。
【００１４】
ここで、撮影手段は、典型的には、デジタルカメラ、一眼レフカメラ、ビデオカメラなどであるが、メモリカード等の記憶媒体又は通信回線を通じて外部から画像の入力を受け付ける手段でもよい。また、特殊色は、典型的には、ホログラムであるが、金属色（ラメ）、蛍光色などである。また、普通色印刷手段及び特殊色印刷手段は、１台のプリンタに内蔵される２つのプリンタヘッドで構成されてもよく、また、各々が１つのプリンタヘッドを内蔵する２台のプリンタで構成されてもよい。
【００１５】
本発明によれば、写真画像のうち被写体の全部又は一部を除く領域を特定する特殊色印刷データを生成し、普通色合成画像上に特殊色印刷データに基づいて特殊色を印刷するようにしているため、編集画像の煩雑な保存や処理をしなくしても特殊色を印刷できる。
【００１６】
好ましくは、データ生成手段は、特殊色印刷データが特定する領域として編集手段により生成された編集画像の領域を設定する。
【００１７】
好ましくは、編集手段は、撮影手段により生成された写真画像のうち被写体以外の領域に所定の背景画像を編集画像として入力する手段と、利用者の操作に応じて所望の画像を編集画像として入力する手段とを含む。
【００１８】
好ましくは、写真自動販売装置はさらに、特殊色印刷手段により特殊色を印刷するか否かを利用者の操作に応じて選択する選択手段を備える。特殊色印刷手段は、選択手段により特殊色を印刷することが選択された場合に特殊色を印刷し、選択手段により特殊色を印刷しないことが選択された場合に特殊色を印刷しない。
【００１９】
本発明による写真シールの製造方法は、撮影工程と、編集工程と、合成工程と、データ生成工程と、普通色印刷工程と、特殊色印刷工程とを含む。撮影工程は、被写体を撮影して写真画像を生成する。編集工程は、撮影工程により生成された写真画像に合成すべき編集画像を生成する。合成工程は、撮影工程により生成された写真画像と編集工程により生成された編集画像とを合成して合成画像を生成する。データ生成工程は、撮影工程により生成された写真画像のうち被写体の全部又は一部を除く領域を特定する特殊色印刷データを生成する。普通色印刷工程は、合成工程により生成された合成画像に基づいて普通色をシール紙上に印刷する。特殊色印刷工程は、普通色印刷工程により印刷された普通色合成画像上にデータ生成工程により生成された特殊色印刷データに基づいて特殊色を印刷する。
【００２０】
本発明による写真シールは、上記製造方法を用いて製造される。
【００２１】
本発明による写真自動販売装置用プログラムは、撮影ステップと、編集ステップと、合成ステップと、データ生成ステップと、普通色印刷ステップと、特殊色印刷ステップとをコンピュータに実行させるためものである。撮影ステップは、被写体を撮影して写真画像を生成するようにカメラを制御する。編集ステップは、撮影ステップにより生成された写真画像に合成すべき編集画像を生成する。合成ステップは、撮影ステップにより生成された写真画像と編集ステップにより生成された編集画像とを合成して合成画像を生成する。データ生成ステップは、撮影ステップにより生成された写真画像のうち被写体の全部又は一部を除く領域を特定する特殊色印刷データを生成する。普通色印刷ステップは、合成ステップにより生成された合成画像に基づいて普通色をシール紙上に印刷するようにプリンタを制御する。特殊色印刷ステップは、普通色印刷ステップにより印刷された普通色合成画像上にデータ生成ステップにより生成された特殊色印刷データに基づいて特殊色を印刷するようにプリンタを制御する。
【発明を実施するための最良の形態】
【００２２】
以下、図面を参照し、本発明の実施の形態を詳しく説明する。図中同一又は相当部分には同一符号を付してその説明は繰り返さない。
【００２３】
［第１の実施の形態］
１．外観構成
図１及び図２を参照して、本発明の第１の実施の形態による写真自動販売装置１は、撮影を行う撮影空間２と、撮影により得られた写真画像の編集を行う編集空間３とに分かれる。撮影空間２には、撮影装置４及び背面パネル５が互いに対向して設置され、編集空間３には、画像編集装置８が撮影装置４に隣接して設置される。撮影空間２及び編集空間３はサイドカーテン９などにより外部と区分されている。
【００２４】
背面パネル５の上方よりも少し前方には、背景カーテンユニット６が装備される。背景カーテンユニット６には、複数の背景カーテン７がそれぞれ巻き取られて収納される。背景カーテン７は様々な色や柄を有し、撮影時には所望の１枚が降下され、被写体の背景を形成する。背景カーテン７はモータ等で回転されて自動的に降下されるようにしてもよいが、利用者の手動操作で引き出されて降下されるようにしてもよい。ここでは、クロマキー処理を可能とするために、青又は緑一色の背景カーテンが用いられる。
【００２５】
写真自動販売装置１の側面には、コインを投入するためのコイン投入口３１と、撮影空間２で撮影しかつ編集空間３で編集した画像をシール紙に印刷して排出するプリント排出口５１とが設けられる。
【００２６】
この写真自動販売装置１を利用する場合、まず利用者はコイン投入口３１にコインを投入する。コインを受け付けると、写真自動販売装置１は利用可能な状態にあればその旨を案内する。利用者はその案内に従って、開放されている後方側面から撮影空間２に入り、撮影装置４に向かって撮影操作を行う。撮影終了後、利用者は編集空間３に移動し、今度は画像編集装置８に向かって画像編集操作、具体的には、フレーム、スタンプ、ペン書きの文字や図形などの落書き画像を入力する。
【００２７】
図３を参照して、撮影装置４の正面中央にはカメラ１０が設けられ、その下方には撮影操作モニタ１１が設けられ、さらにそれらの周りには照明装置１３が設けられる。
【００２８】
カメラ１０は利用者を被写体として撮影するもので、一般にデジタルカメラが用いられる。カメラ１０は複数台設けたり、移動や角度調節をできるようにしたりしてもよい。
【００２９】
撮影操作モニタ１１は、カメラ１０で撮影されている映像をリアルタイムで表示する。さらに、その画面上には透明なタッチパネル１２（図５参照）が貼り付けられており、撮影操作モニタ１１は、タッチパネル１２に対する利用者の入力操作を受け付ける。
【００３０】
照明装置１３は、カメラ１０の上下左右及び天井に設けられ、被写体を前方から照明する。照明装置１３はその内部に、蛍光灯などの常灯照明と、ストロボなどの閃光照明（フラッシュ）とを有する。ストロボは、利用者から撮影の開始が指示され、カメラ１０が撮影している映像を静止画として取り込む瞬間に発光し、被写体を強く照明する。
【００３１】
照明装置は上記以外に、被写体の側方及び後方にも設けられ、被写体をあらゆる方向から照明する。
【００３２】
図４を参照して、画像編集装置８は撮影装置４と背中合わせに設置される。画像編集装置８は、撮影装置４で得られた写真画像を編集処理するための装置である。画像編集装置８の正面中央には編集操作モニタ４０が設けられる。
【００３３】
編集操作モニタ４０は、カメラ１０で撮影された写真画像の中から選択された１又は複数の写真画像を表示する。さらに、その画面上には透明なタッチパネル４１（図５参照）が貼り付けられており、編集操作モニタ４０は、タッチパネル４１に対する利用者の編集操作を受け付ける。編集操作モニタ４０の両側には、落書き画像をタッチパネル４１上で入力するためのタッチペン４２が設けられる。画像編集装置８は、利用者の編集操作に応じて写真画像に対して画像編集処理を実行する。
【００３４】
編集終了後、写真自動販売装置１は編集画像と写真画像の合成画像をシール紙に印刷してプリント排出口５１から排出し、利用者に提供する。
【００３５】
２．機能構成
図５を参照して、写真自動販売装置１は、撮影処理を実行する撮影用コンピュータ装置１０１ａと、画像編集処理を実行する画像編集用コンピュータ装置１０１ｂと、動作中のコンピュータ装置１０１ａ，１０１ｂからの指示を受け付けて、接続されている各種装置を制御する制御基板１０２とを備える。撮影用コンピュータ装置１０１ａと画像編集用コンピュータ装置１０１ｂとは互いに接続され、画像データなどの授受をピアツーピアで行う。これらは写真自動販売装置１の制御手段として機能する。
【００３６】
コンピュータ装置１０１ａ，１０１ｂは、ＣＰＵ(Central Processing Unit)１０３ａ，１０３ｂと、本装置に所定の処理を実行させるための制御プログラム、処理に必要なグラフィックデータ、音声データ、撮影された写真画像、写真画像を編集するための落書き画像、入力された編集画像を記憶するハードディスクドライブ（ＨＤＤ）１０４ａ，１０４ｂ、制御プログラムの一時的な作業領域となるメモリ１０５ａ，１０５ｂとを含む。
【００３７】
撮影用コンピュータ装置１０１ａは、撮影空間２での撮影処理を実行する。具体的には、撮影処理のプログラムの実行や、利用者の指等のタッチによりタッチパネル１２で受け付けた入力操作にしたがった指示信号に基づいて、制御基板１０２に対して制御信号を送信する。また、撮影用コンピュータ装置１０１ａは、カメラ１０、撮影操作モニタ１１、制御基板１０２と接続され、それらを制御する。
【００３８】
画像編集用コンピュータ装置１０１ｂは、編集空間３での画像編集処理及び印刷処理を実行する。具体的には、画像編集用コンピュータ装置１０１ｂは、制御プログラムを実行し、タッチパネル４１に対するタッチペン４２による入力操作に応じて制御信号を制御基板１０２に送信する。画像編集用コンピュータ装置１０１ｂは、プリンタ５５、編集操作モニタ４０、制御基板１０２に接続され、それらを制御する。
【００３９】
画像編集用コンピュータ装置１０１ｂ内のＨＤＤ１０４ｂは、制御プログラムを記憶する。ＨＤＤ１０４ｂはまた、後述する画像編集処理に利用する背景画像、スタンプ画像等の落書き画像を記憶する。
【００４０】
プリンタ５５は、写真画像に編集画像を合成した合成画像をシール紙等の印刷媒体に印刷する。この実施の形態のプリンタ５５は画像をシール紙に印刷するが、印刷媒体はシール紙に限定されることなく、他の印刷媒体でもよい。
【００４１】
タッチパネル１２は、撮影操作モニタ１１の上に積層されている。タッチパネル１２は、利用者の指等の接触を検知し、それに応じた指示信号を撮影用コンピュータ装置１０１ａに送信する。撮影操作モニタ１１は、撮影用コンピュータ装置１０１ａから送信された画像、具体的には、カメラ１０で撮像された写真画像、撮影のための案内、選択肢など表示する。
【００４２】
タッチパネル４１は、編集操作モニタ４０の上に積層されている。タッチパネル４１は、左右のタッチペン４２の接触を検知し、それに応じた指示信号を画像編集用コンピュータ装置１０１ｂに送信する。編集操作モニタ４０は、画像編集用コンピュータ装置１０１ｂから送信された編集画像を写真画像上に重ねて表示する。
【００４３】
制御基板１０２は、コンピュータ装置１０１ａ，１０１ｂの他に、ストロボ制御部１１０、ストロボ１５、蛍光灯１４、サービスパネル１１３、印刷中ＬＥＤ５２、印刷エラーＬＥＤ５３、コイン制御部１１２、及び音声制御部１１１に接続される。
【００４４】
ストロボ制御部１１０はカメラ１０に接続され、カメラ１０のシャッタタイミングに応じて発光するようにストロボ１５を制御する。音声制御部１１１は制御基板１０２を介して撮影用コンピュータ装置１０１ａ及び画像編集用コンピュータ装置１０１ｂに接続される。撮影用スピーカ１６は、撮影空間２に配備され、撮影用コンピュータ装置１０１ａから制御基板１０２を介して与えられる指示信号に基づいて、撮影プレイのための操作方法などの案内やＢＧＭなどを出力する。編集用スピーカ４６は、編集空間３に配備され、画像編集用コンピュータ装置１０１ｂから制御基板１０２を介して与えられる指示信号に基づいて、編集プレイのための操作方法などの案内やＢＧＭなどを出力する。
【００４５】
なお、画像編集装置８は、上記構成のうち、少なくとも画像編集用コンピュータ装置１０１ｂと、編集操作モニタ４０と、タッチパネル４１と、タッチペン４２とを備える。
【００４６】
３．動作
上述した写真自動販売装置１の動作は次の通りである。
【００４７】
３−１．撮影空間での動作（撮影処理）
まず、撮影空間２での写真自動販売装置１の動作を説明する。撮影用コンピュータ装置１０１ａのＣＰＵ１０３ａは、ＨＤＤ１０４ａに記憶された制御プログラムをメモリ１０５ａに読出して実行することにより、この撮影処理を実現する。
【００４８】
図６を参照して、ＣＰＵ１０３ａは、写真自動販売装置１の利用を促すタイトルデモ画面を撮影操作モニタ１１に表示し（Ｓ１１）、その間にコイン制御部１１２においてコインの投入を監視する（Ｓ１２）。タイトルデモ画面の表示中に所定枚数のコインが投入されると（Ｓ１２でＹＥＳ）、ＣＰＵ１０３ａは、あらかじめ用意された複数の背景画像の中から１つを利用者の操作に応じて選択する（Ｓ１３）。カメラ１０で撮影されている映像（動画）はリアルタイムで撮影操作モニタ１１に表示されるが、クロマキー処理等により被写体の部分のみが切り出され、それ以外の部分に選択された背景画像が嵌め込まれる。続いて、ＣＰＵ１０３ａは所定の撮影を実行する（Ｓ１４）。具体的には、カメラ１０が利用者を被写体として背景カーテン７とともに撮影して写真画像（静止画）を生成する。
【００４９】
利用者は、撮影操作モニタ１１に表示される案内に従って複数回の撮影を行う。ＣＰＵ１０３ａは、撮影回数が所定回数（たとえば１０回）に達したか否かを判定する（Ｓ１５）。所定回数撮影していない場合（Ｓ１５でＮＯ）、ＣＰＵ１０３ａはステップＳ１３に戻って背景画像の選択と撮影を繰り返す。一方、所定回数撮影した場合（Ｓ１５でＹＥＳ）、ＣＰＵ１０３ａは、プレイ開始（コイン投入時）から所定時間（たとえば１４０秒）が経過したか否かを判定する（Ｓ１６）。所定時間が経過していない場合（Ｓ１６でＮＯ）、ＣＰＵ１０３ａはおまけ撮影を実行する（Ｓ１７）。おまけ撮影は、通常の撮影を早く終えた利用者又は後述する画像編集処理との時間調整のため、たとえば上述と同様に、背景画像の選択と撮影を所定回数（たとえば２回）繰り返す。
【００５０】
所定時間が経過した場合又はおまけ撮影後、ＣＰＵ１０３ａは、撮影で得られた全ての写真画像を撮影操作モニタ１１に一覧で表示し、その中から所定枚数（たとえば４〜６枚）の写真画像を利用者の操作に応じて選択する（Ｓ１８）。ここで選択された写真画像が後述する編集処理の対象となる。
【００５１】
ＣＰＵ１０３ａは撮影で得られた複数の写真画像のデータを画像編集用コンピュータ装置１０１ｂに転送した後、撮影終了の案内を撮影操作モニタ１１に表示するとともに（Ｓ１９）、編集空間３で画像編集するよう促す案内を撮影操作モニタ１１に表示する（Ｓ２０）。その後、ＣＰＵ１０３ａはステップＳ１１に戻って再びタイトルデモ画面を表示する。
【００５２】
３−２．編集空間での動作（画像編集処理及び印刷処理）
次に、編集空間３での写真自動販売装置１の動作を説明する。画像編集用コンピュータ装置１０１ｂのＣＰＵ１０３ｂはＨＤＤ１０４ｂに記憶された制御プログラムをメモリ１０５ｂに読出して実行することにより、画像編集処理及び印刷処理を実現する。
【００５３】
図７を参照して、ＣＰＵ１０３ｂは、撮影プレイから始めるよう促すデモ画面を編集操作モニタ４０に表示しながら（Ｓ２１）、撮影用コンピュータ装置１０１ａから編集対象となった写真画像のデータが転送されて来るかを監視する。そして、ＣＰＵ１０３ｂは、転送されて来る全ての写真画像の準備（たとえばサイズ加工、色調補正等の画像処理）が完了するのを待つ（Ｓ２２）。
【００５４】
準備が完了すると（Ｓ２２でＹＥＳ）、ＣＰＵ１０３ｂは、画像編集（落書き）処理を実行する（Ｓ２３）。画像編集処理では、撮影された写真画像を編集操作モニタ４０に表示し、利用者はタッチペン４２を使って写真画像に好みの落書きをする。ＣＰＵ１０３ｂは、落書き開始からの時間の経過を監視し、所定の制限時間（たとえば１８０秒）が経過した場合、又は落書き画像入力を終了するための「おしまい」ボタンが操作された場合、落書き画像入力の受け付けを終了し、写真画像ごとに入力された落書き画像（背景画像を含む）を編集画像として固定し、画像編集処理（Ｓ２３）を終了させる。画像編集処理が終了すると、固定された編集画像と写真画像とを合成し、写真画像と同じ数の普通色合成画像を生成する（Ｓ２３１）。
【００５５】
続いて、ＣＰＵ１０３ｂは、図８に示すように、ホログラム印刷（ホロ印刷）をするか否かの選択を促す画面を編集操作モニタ４０に表示し、利用者の選択を受け付ける（Ｓ２４）。ＣＰＵ１０３ｂは、ホログラム印刷をする場合（Ｓ２５でＹＥＳ）、ホログラム印刷データの作成を開始するが（Ｓ２６）、ホログラム印刷をしない場合（Ｓ２５でＮＯ）、そのステップＳ２６をスキップする。ホログラム印刷データを作成する処理の詳細は後述する。
【００５６】
続いて、ＣＰＵ１０３ｂは、利用者の操作に応じて印刷用の分割レイアウトを選択する（Ｓ２７）。プレイ時間を短縮するために、ホログラム印刷データの作成処理と分割レイアウトの選択処理は並行して行われる。分割レイアウトは、１枚のシール紙に印刷すべき編集済み写真画像の枚数、配置及びサイズをあらかじめ定めたものである。分割レイアウトの選択処理は、あらかじめ定められた複数の分割レイアウトの中からいずれか１つを選択する。
【００５７】
分割レイアウトの選択後、ＣＰＵ１０３ｂは、プリンタ５５への印刷を指示するための印刷処理を開始させ（Ｓ２８）、印刷待ち処理を行う（Ｓ２９）。印刷処理と印刷待ち処理も並行して行われる。印刷処理の詳細は後述する。印刷待ち処理では、印刷が完了すると見込まれる時間（たとえば９０秒）、利用者の退屈感を紛らわすために、所定のプレイ（携帯電話に画像を送信するための電子メールアドレスの入力、写真画像の閲覧、携帯電話の電子メールで使用する画像の作成など）を提供する。所定時間が経過すると、ＣＰＵ１０３ｂは、編集の終了を知らせるとともに、写真シールを横のプリント排出口５１から取り出すよう促す画面を編集操作モニタ４０に表示する（Ｓ３０）。以上の結果、製造された写真シールはプリント排出口５１から利用者に提供される。
【００５８】
３−２−１．ホログラム印刷データ作成処理の詳細
図９を参照して、写真画像Ｐ１はカメラ１０で生成され、編集画像Ｐ２は撮影処理及び画像編集処理で生成される。この編集画像Ｐ２には、ステップＳ１３で選択された背景画像Ｐ２０と、ステップＳ２３で普通ペン（金属色を含まない普通色のみの線を描ける落書き素材）を用いて入力された落書き画像Ｐ２１，Ｐ２２とが含まれる。落書き画像Ｐ２１は被写体のない領域に入力されているが、落書き画像Ｐ２２は被写体の上に重ねて入力されている。ここでは普通ペンを用いて落書き画像Ｐ２１，Ｐ２２を入力した場合を例に説明するが、普通ペンの代わりに、スタンプ、フレーム等の落書き素材を用いて落書き画像を入力してもよい。ただし、ここで用いられる落書き素材は普通色のみで構成され、金属色のみで構成される「ラメペン」、普通色と金属色で構成される「まざりペン」などは用いられない。
【００５９】
写真画像Ｐ１及び編集画像Ｐ２は合成され、普通色合成画像Ｐ３が生成される。一方、ホログラム印刷データＨＬは編集画像Ｐ２に基づいて生成される。このホログラム印刷データＨＬは編集画像に画像がある領域（図９上のハッチング領域）で「１」となり、編集画像に画像がない領域（落書き画像Ｐ２２が上書きされていない被写体の領域）で「０」となる。図９上では落書き画像Ｐ２１，Ｐ２２は概略的に長方形で示されているが、実際には、文字を構成する線であったり、スタンプやフレームを構成する種々の図形であったりする。ホログラム印刷データＨＬはその線上のみで「１」となってもよいが、その線を中心とする所定幅で「１」となってもよい。後に詳述するが、ここで生成された普通色合成画像Ｐ３に基づいて普通色印刷が行われ、ホログラム印刷データＨＬに基づいてホログラム印刷が行われる。また、図９は各画像の関連を示したものに過ぎず、印刷のためにプリンタ５５に送られる画像は、個々の写真画像に対応した合成画像又はホロ印刷データではなく、所定の分割レイアウトに従って生成された、写真シールと略同じ大きさの、普通色印刷用画像及びホログラム印刷用画像（後述）である。
【００６０】
ホログラム印刷データ作成処理の詳細を図１０に示す。ここで、ｎは現在処理対象となっている編集画像の連続番号であり、ｙは編集画像の縦方向の座標であり、ｘは編集画像の横方向の座標であり、Ｎは処理対象となる編集画像の総数であり、Ｘは編集画像の横方向の画素数であり、Ｙは編集画像の縦方向の画素数である。
【００６１】
図１０を参照して、ＣＰＵ１０３ｂは、ｎ，ｙ，ｘをそれぞれ０に初期化する（Ｓ２６１〜Ｓ２６３）。続いて、ＣＰＵ１０３ｂはホログラムデータ代入処理を実行し、当該画素に対応するホログラム印刷データを「０」又は「１」に設定する（Ｓ２６４）。ＣＰＵ１０３ｂは、ｘをインクリメントし（Ｓ２６５）、ｘ＞Ｘになるまで（Ｓ２６６でＮＯ）ホログラムデータ代入処理Ｓ２６４を繰り返す。ＣＰＵ１０３ｂはまた、ｙをインクリメントし（Ｓ２６７）、ｙ＞Ｙになるまで（Ｓ２６８でＮＯ）ステップＳ２６３〜Ｓ２６６を繰り返し、ホログラムデータ代入処理Ｓ２６４を繰り返す。ＣＰＵ１０３ｂはまた、ｎをインクリメントし（Ｓ２６９）、ｎ＞Ｎになるまで（Ｓ２７０でＮＯ）ステップＳ２６２〜Ｓ２６８を繰り返す。これにより、全編集画像の全画素についてホログラムデータ代入処理Ｓ２６４が実行される。
【００６２】
３−２−１−１．ホログラムデータ代入処理の詳細
次に、ホログラムデータ代入処理の詳細を説明する。この処理には、画像編集処理（Ｓ２３）中において、ホログラムレイヤを設定する場合と、しない場合とがある。
【００６３】
（ａ）ホログラムレイヤを設定しない場合
まずは、ホログラム印刷データＨＬを作成する前提となる画像編集処理（Ｓ２３）における落書き画像入力について説明する。
【００６４】
図１１を参照して、人レイヤＭ、人下レイヤＤＮ及び人上レイヤＵＰをメモリ１０５ｂに設定する。人下レイヤＤＮは、人レイヤＭよりも表示又は合成の優先度が低い。人上レイヤＵＰは、人レイヤＭよりも表示又は合成の優先度が高い。レイヤＭ、ＤＮ及びＵＰは写真画像Ｐ１ごとに１組ずつ用意する。また、画像入力後にその入力をキャンセルするための「戻る」（又は「ＵＮＤＯ」）機能、及び、キャンセルを取り消すための「進む」（又は「ＲＥＤＯ」）機能のために、撮影ごとに生成されるレイヤの組を複数（たとえば５組）生成してもよい。また、人下レイヤＤＮ及び人上レイヤＵＰは、ペン、スタンプ、背景、フレームなど、落書き素材ごとに複数のレイヤで構成してもよい。
【００６５】
まず、クロマキー処理等により写真画像Ｐ１から人マスクＭＭを生成する。人マスクＭＭを構成する各画素データＭＭ（ｎ，ｘ，ｙ）は、被写体が写っている領域で「１」となり、被写体が写っていない領域で「０」となる。
【００６６】
人マスクＭＭの作成と同時に又は人マスクＭＭを参照して、写真画像Ｐ１のうち被写体以外の領域を透明にし、人レイヤＭに入力する。また、人マスクＭＭを参照して、選択された背景画像Ｐ２０の中から被写体以外の領域のみを切り出し、人下レイヤＤＮに入力する。
【００６７】
続いて、落書き画像入力の受け付けが開始される。通常のペンやスタンプ等を用いて被写体の前に描かれた落書きは人上レイヤＵＰに入力される。また、人下ペンや人下スタンプ等を用いて被写体の後に描かれた落書きは人下レイヤＤＮに入力される。この場合、人マスクＭＭを参照し、被写体の領域には画像が入力されないように制御する。タッチペン４２でなぞることにより画像を消去する「消しゴム」ボタンが操作された場合、そのタッチペン４２でなぞった位置に対応する画像を各レイヤから消去する。「戻る」又は「進む」ボタンが操作された場合、その前又は先の画像が保持されているレイヤの組を読み出し、現レイヤの組に設定する。落書き入力を初めからやり直す「初めから」ボタンが操作された場合、落書き画像入力前の状態に設定する。
【００６８】
所定の制限時間が経過した場合、又は落書き画像入力を終了するための「おしまい」ボタンが操作された場合、落書き画像入力の受け付けを終了する。そして、落書き画像が入力された人上レイヤＵＰ及び人下レイヤＤＮをそれぞれ画像ファイルに保存し、その画像ファイルを参照して以降のホログラム印刷データＨＬを作成する。
【００６９】
ホログラム印刷データＨＬは人上レイヤＵＰ及び人下レイヤＤＮに基づいて生成される。具体的には、図１２を参照して、人下レイヤＤＮを構成する各画素データＤＮ（ｎ，ｘ，ｙ）に画像があるか否かを判定する（Ｓ２６４１）。画像がある場合（Ｓ２６４１でＹＥＳ）、つまり当該画素のＲ（赤成分）、Ｇ（緑成分）及びＢ（青成分）の全てが０でない場合、当該画素に対応するホログラム印刷データＨＬ（ｎ，ｘ，ｙ）に「１」を代入する（Ｓ２６４２）。一方、画像がない場合（Ｓ２６４１でＮＯ）、つまり当該画素のＲ、Ｇ及びＢの全てが０の場合、当該画素に対応するホログラム印刷データＨＬ（ｎ，ｘ，ｙ）に「０」を代入する（Ｓ２６４３）。
【００７０】
続いて、人上レイヤＵＰを構成する各画素データＵＰ（ｎ，ｘ，ｙ）に画像があるか否かを判定する（Ｓ２６４４）。画像がある場合（Ｓ２６４４でＹＥＳ）、当該画素に対応するホログラム印刷データＨＬ（ｎ，ｘ，ｙ）に「１」を代入する（Ｓ２６４５）。画像がない場合（Ｓ２６４４でＮＯ）、そのステップＳ２６４５をスキップする。
【００７１】
ここで、図１３に示すように、落書き画像の一部が透明になっている場合、その透明部分に画像があると判定しても、ないと判定してもよい。透明部分にもホログラムを印刷する場合はその透明部分に画像があると判定し、透明部分にはホログラムを印刷しない場合はその透明部分に画像がないと判定すればよい。透明部分における画素のＲ、Ｇ及びＢは全て０であるから、通常は透明部分に画像はないと判定される。したがって、透明部分に画像があると判定させるためには、透明部分の画素について、視覚できない程度の色、たとえばＲ、Ｇ及びＢのうちいずれか１つをあらかじめ「１」に設定しておけばよい。また、このような色（たとえばＲ＝０、Ｇ＝０、Ｂ＝１）を含む画像を画面に表示する場合には、その画像の背後に入力されている画像が見えるように透過処理を行ってもよい。また、印刷する場合には、印刷用画像を作成する場合に、もとのＲ＝０、Ｇ＝０、Ｂ＝０に変換するなどの処理を行ってもよい。また、全ての透明部分にホログラムを印刷するように落書き画像を統一してもよいし、全ての透明部分にホログラムを印刷しないように落書き画像を統一してもよいし、あるいはこれらを混在してもよい。
【００７２】
（ｂ）ホログラムレイヤを設定する場合
まずは、ホログラム印刷データＨＬを作成する前提となる画像編集処理（Ｓ２３）における落書き画像入力について説明する。
【００７３】
図１４を参照して、この場合、人上レイヤＵＰに対応して人上ホログラムレイヤＵＰＨを設定する。人上レイヤＵＰに落書き画像が入力されるたびに、その入力された落書き画像の座標に対応する位置の人上ホログラムレイヤＵＰＨにも後述の形状マスクを参照して「１」が入力される。
【００７４】
また、後述するホログラム印刷データＨＬを作成するときに人マスクＭＭを参照するようにしているため、人下レイヤＤＮには被写体以外の領域にも落書き画像が入力される。人マスクＭＭの参照は、人レイヤよりも優先度の低いレイヤが設定されている場合は、「（ａ）ホログラムレイヤを設定しない場合」のように、落書き画像入力のときに行ってもよく、また本例のように、ホログラム印刷データＨＬを作成するときに行ってもよい。また、後述のように人レイヤよりも優先度の低いレイヤが設定されていない場合は参照する必要がない。
【００７５】
上述同様、落書き画像入力の受け付けを終了すると、人上ホログラムレイヤＵＰＨを画像ファイルに保存し、その画像ファイルを参照して以降のホログラム印刷データＨＬを作成するようにしてもよいし、落書き画像の入力時に直接画像ファイルに書き込むようにしてもよい。
【００７６】
ホログラム印刷データＨＬは人上ホログラムレイヤＵＰＨ及び人マスクＭＭに基づいて生成される。具体的には、図１５を参照して、人マスクＭＭの当該画素データＭＭ（ｎ，ｘ，ｙ）が「０」の場合（Ｓ２６４６でＮＯ）、つまり被写体がない場合、当該画素に対応するホログラム印刷データＨＬ（ｎ，ｘ，ｙ）に「１」を代入する（Ｓ２６４７）。一方、人マスクＭＭの当該画素データＭＭ（ｎ，ｘ，ｙ）が「１」の場合（Ｓ２６４６でＹＥＳ）、つまり被写体がある場合、ホログラム印刷データＨＬ（ｎ，ｘ，ｙ）に「０」を代入する（Ｓ２６４８）。そして、当該画素に対応する人上ホログラムレイヤＵＰＨ（ｎ，ｘ，ｙ）に画像がある場合（Ｓ２６４９でＹＥＳ）、ホログラム印刷データＨＬ（ｎ，ｘ，ｙ）に「１」を代入する（Ｓ２６５０）。一方、人上ホログラムレイヤＵＰＨ（ｎ，ｘ，ｙ）に画像がない場合（Ｓ２６４９でＮＯ）、ホログラム印刷データＨＬ（ｎ，ｘ，ｙ）はそのまま「０」となる。
【００７７】
上述したレイヤの構成はあくまで一例に過ぎない。人下ペンや人下スタンプがない場合、たとえば下から順に、人マスクＭＭで抜かない写真画像を設定した人レイヤ、人マスクＭＭで抜いた背景レイヤ、及び、ペンやスタンプを入力する人上レイヤで構成してもよい。
【００７８】
４．印刷処理の詳細
次に、印刷処理に関連し、プリンタ５５の詳細を説明する。図１７を参照して、プリンタ５５は、普通色印刷用の昇華型プリンタヘッド６５と、ホログラム印刷用の転写型プリンタヘッド６６と、プリンタヘッド６５及び６６をそれぞれ制御するコントローラ６７及び６８と、プリンタヘッド６５及び６６で印刷する画像をそれぞれ記憶するバッファメモリ６９及び７０とを備える。ここでは普通色印刷用に熱により画像を形成するプリンタを用いているが、インクジェットプリンタ、レーザプリンタなどを代わりに用いてもよい。
【００７９】
図１８を参照して、印刷媒体７１は最初に昇華型プリンタヘッド６５下に搬送され、次に転写型プリンタヘッド６６下に搬送される。昇華型プリンタヘッド６５は、ヘッドに加えられた熱により、普通色インクリボン７２の基材に塗布された染料インクを印刷媒体７１の受容層に染み込ませて画像を形成する。染料インクには、シアン、マゼンダ及びイエローの普通色インクが用いられる。普通色インクリボン７２には染料インクで印刷した画像を保護するための保護シートが基材に貼付されており、染料インクの印刷後に、プリンタヘッド６５のヘッドに加えられた熱により、当該保護シートを基材から剥離させて印刷媒体に転写する。転写型プリンタヘッド６６は、ヘッドに加えられた熱により、ホログラムインクリボン７３の基材に展着しているホログラム膜を剥離し、印刷媒体７１に転写し、画像を形成する。
【００８０】
次に図１９を参照し、印刷処理の詳細を説明する。
【００８１】
ホログラム印刷をする場合（Ｓ３１でＹＥＳ）、ＣＰＵ１０３ｂは、既に並行して実行されているホログラム印刷データ作成処理により、印刷対象となる全画像のホログラム印刷データが完成するのを待つ（Ｓ３２）。ここでは全画像についてホログラムを印刷する場合を例に説明するが、分割レイアウトの選択時にホログラムを印刷する画像と印刷しない画像とを選択できるようにしてもよい。
【００８２】
ホログラム印刷データの完成後（Ｓ３２でＹＥＳ）、ＣＰＵ１０３ｂは、印刷対象となる全画像のサイズや向き等を加工して、それぞれの普通色合成画像Ｐ３が１枚の印刷媒体上に、選択された分割レイアウトに従って並べられた普通色印刷用画像、及びそれぞれの普通色合成画像Ｐ３に対応したホログラム印刷データが１枚の印刷媒体上に、選択された分割レイアウトに従って並べられたホログラム印刷用画像を作成し（Ｓ３３，３４）、作成した普通色印刷用画像及びホログラム印刷用画像をプリンタ５５に送信する（Ｓ３５，Ｓ３６）。そして、ＣＰＵ１０３ｂは、プリンタ５５に印刷開始の指示をする（Ｓ３７）。これにより、プリンタ５５は、普通色印刷用画像を印刷媒体上に印刷し、その上にホログラム印刷用画像を印刷する。印刷が完了すると（Ｓ３８でＹＥＳ）、上述した一連の印刷処理は終了する。
【００８３】
以上、本発明の第１の実施の形態によれば、ホログラム印刷データＨＬを生成し、普通色合成画像Ｐ３上にホログラム印刷データＨＬに基づいてホログラムを印刷するようにしているため、編集画像Ｐ２の煩雑な保存や処理をしなくしてもホログラムを印刷することができる。ここでの編集画像Ｐ２は、落書き画像Ｐ２０〜Ｐ２２が普通色で構成されるため、普通色のみで構成され、金属色等の特殊色を含まない。したがって、編集画像又は落書き画像を普通色部分と特殊色部分に分離するという処理は全く不要である。
【００８４】
また、写真画像の一部を特殊表現するだけに止まらず、写真画像全体の表現力を高めているため、従来の写真シールのイメージと全く異なり、表現力に優れた斬新な写真シールを製造することができる。具体的には、被写体と重なっているか否かに関係なく、落書き画像Ｐ２１，Ｐ２２の全領域についてホログラム印刷が行われるので、落書き画像Ｐ２１，Ｐ２２が一様に装飾される。
【００８５】
［第２の実施の形態］
上記第１の実施の形態ではホログラム印刷データＨＬを編集画像Ｐ２に基づいて作成しているが、図２０に示すように写真画像Ｐ１に基づいて作成してもよい。具体的には、図２１及び図２２を参照して、人マスクＭＭの当該画素データＭＭ（ｎ，ｘ，ｙ）が「１」の場合（Ｓ２６５１でＹＥＳ）、つまり被写体がある場合、当該画素に対応するホログラム印刷データＨＬ（ｎ，ｘ，ｙ）に「０」を代入する（Ｓ２６５２）。一方、人マスクＭＭの当該画素データＭＭ（ｎ，ｘ，ｙ）が「０」の場合（Ｓ２６５１でＮＯ）、つまり被写体がない場合、ホログラム印刷データＨＬ（ｎ，ｘ，ｙ）に「１」を代入する（Ｓ２６５３）。
【００８６】
この場合、落書き画像を入力した領域には原則としてホログラム印刷を行う。この点は上記第１の実施の形態と同じである。ただし、落書き画像を入力した領域であっても被写体と重なる領域には例外としてホログラム印刷を行わない。この点は上記第１の実施の形態と異なる。
【００８７】
［第３の実施の形態］
上記第１の実施の形態ではホログラム印刷データＨＬを編集画像Ｐ２に基づいて作成し、上記第２の実施の形態では写真画像Ｐ１に基づいて作成しているが、図２３に示すように合成画像Ｐ３に基づいて作成してもよい。具体的には、図２４及び図２５を参照して、普通色合成画像Ｐ３の当該画素データＧ（ｎ，ｘ，ｙ）と背景画像Ｐ２０の当該画素データＢＧ（ｎ，ｘ，ｙ）とが一致するか否かを判定する（Ｓ２６５６）。画素データＧ（ｎ，ｘ，ｙ）と画素データＢＧ（ｎ，ｘ，ｙ）とが一致する場合（Ｓ２６５６でＹＥＳ）、つまり背景画像しかない場合、当該画素に対応するホログラム印刷データＨＬ（ｎ，ｘ，ｙ）に「１」を代入する（Ｓ２６５７）。一方、画素データＧ（ｎ，ｘ，ｙ）と画素データＢＧ（ｎ，ｘ，ｙ）とが一致しない場合（Ｓ２６５６でＮＯ）、つまり背景画像以外の画像がある場合、当該画素に対応するホログラム印刷データＨＬ（ｎ，ｘ，ｙ）に「０」を代入する（Ｓ２６５８）。
【００８８】
この場合、背景画像Ｐ２０を入力した領域には原則としてホログラム印刷を行う。この点は上記第１及び第２の実施の形態と同じである。ただし、背景画像Ｐ２０を入力した領域であっても落書き画像Ｐ２１，Ｐ２２を入力した領域には例外としてホログラム印刷を行わない。この点は上記第１及び第２の実施の形態と異なる。たとえば図２３に示すように、落書き「なかよし」のうちの文字「な」を背景画像Ｐ２０の上に描いた場合、文字「な」の線上のホログラム印刷データＨＬは「０」になる。
【００８９】
以上、本発明の実施の形態を説明したが、上述した実施の形態は本発明を実施するための例示に過ぎない。よって、本発明は上述した実施の形態に限定されることなく、その趣旨を逸脱しない範囲内で上述した実施の形態を適宜変形して実施することが可能である。
【図面の簡単な説明】
【００９０】
【図１】本発明の第１の実施の形態による写真自動販売装置の内部構成を示す断面側面図である。
【図２】図１に示した写真自動販売装置の外観構成を示す側面図である。
【図３】図１及び図２に示した写真自動販売装置における撮影装置の正面図である。
【図４】図１〜図３に示した写真自動販売装置における画像編集装置の斜視図である。
【図５】図１〜図４に示した写真自動販売装置の機能構成を示すブロック図である。
【図６】図１〜図５に示した写真自動販売装置の撮影処理の動作を示すフロー図である。
【図７】図１〜図５に示した写真自動販売装置の画像編集処理の動作を示すフロー図である。
【図８】図７に示した画像編集処理で表示されるホログラム印刷の選択画面を示す図である。
【図９】本発明の第１の実施の形態により作成されるホログラム印刷データと他の各画像との関連を示す図である。
【図１０】図７に示した画像編集処理におけるホログラム印刷データ作成処理の詳細を示すフロー図である。
【図１１】図９に示したホログラム印刷データ作成処理の概要であってホログラムレイヤを設定しない場合を示す図である。
【図１２】図１０中のホログラムデータ代入処理の詳細であって図１１に示した方法でホログラムデータを作成する場合を示すフロー図である。
【図１３】図１１に示した方法でホログラムデータを作成する場合において、入力された落書き画像の透明部分をホログラム印刷するときと、ホログラム印刷しないときとを示す図である。
【図１４】図９に示したホログラム印刷データ作成処理の概要であってホログラムレイヤを設定する場合を示す図である。
【図１５】図１０中のホログラムデータ代入処理の詳細であって図１４に示した方法でホログラムデータを作成する場合を示すフロー図である。
【図１６】図１４に示した方法でホログラムデータを作成する場合において、入力された落書き画像の透明部分をホログラム印刷するときと、ホログラム印刷しないときとを示す図である。
【図１７】図５中のプリンタの詳細を示す機能ブロック図である。
【図１８】図１７に示したプリンタの印刷工程を示す側面図である。
【図１９】図７中のステップＳ２８で開始される印刷処理の詳細を示すフロー図である。
【図２０】本発明の第２の実施の形態により作成されるホログラム印刷データと他の各画像との関連を示す図である。
【図２１】図２０に示したホログラム印刷データ作成処理の概要を示す図である。
【図２２】図１０中のホログラムデータ代入処理の詳細であって図２１に示した方法でホログラムデータを作成する場合を示すフロー図である。
【図２３】本発明の第３の実施の形態により作成されるホログラム印刷データと他の各画像との関連を示す図である。
【図２４】図２３に示したホログラム印刷データ作成処理の概要を示す図である。
【図２５】図１０中のホログラムデータ代入処理の詳細であって図２４に示した方法でホログラムデータを作成する場合を示すフロー図である。
【符号の説明】
【００９１】
１  写真自動販売装置
４  撮影装置
８  画像編集装置
１０  カメラ
４０  編集操作モニタ
５５  プリンタ
６５  昇華型プリンタヘッド
６６  転写型プリンタヘッド
７１  印刷媒体
【図１】
2008244955.tif 000003
【図２】
2008244955.tif 000004
【図３】
2008244955.tif 000005
【図４】
2008244955.tif 000006
【図５】
2008244955.tif 000007
【図６】
2008244955.tif 000008
【図７】
2008244955.tif 000009
【図８】
2008244955.tif 000010
【図９】
2008244955.tif 000011
【図１０】
2008244955.tif 000012
【図１１】
2008244955.tif 000013
【図１２】
2008244955.tif 000014
【図１３】
2008244955.tif 000015
【図１４】
2008244955.tif 000016
【図１５】
2008244955.tif 000017
【図１６】
2008244955.tif 000018
【図１７】
2008244955.tif 000019
【図１８】
2008244955.tif 000020
【図１９】
2008244955.tif 000021
【図２０】
2008244955.tif 000022
【図２１】
2008244955.tif 000023
【図２２】
2008244955.tif 000024
【図２３】
2008244955.tif 000025
【図２４】
2008244955.tif 000026
【図２５】
2008244955.tif 000027